(57)【特許請求の範囲】
【請求項１】
円柱体をなした被洗浄物（５）を同時に洗浄及び乾燥する被洗浄物の洗浄乾燥装置であって、
前記被洗浄物（５）の外表面のゴミなどを洗い流す洗浄水が噴射する多孔質で伸縮性を有する円柱状の洗浄体（２）と、
加圧された濯ぎ水が噴出する濯ぎ用リング体（３）と、
加圧された温風が噴出する乾燥用リング体（４）と
を、略中空円筒状を有し回転可能なフレーム（１）の内部において、前記被洗浄物（５）に近い方から洗浄体（２）、濯ぎ用リング体（３）、乾燥用リング体（４）の順で設けるとともに、
前記フレーム（１）若しくは被洗浄物（５）のいずれかを回転かつ降下させる移動手段を備え、
前記被洗浄物（５）の外周側をフレーム（１）が通過しながら若しくはフレーム（１）内を被洗浄物（５）が通過しながら洗浄及び乾燥を同時に行うように構成し、
前記複数の洗浄体（２）を同心状に配置するとともに、支軸（２１）によってフレーム（１）側に回転自在に支持し、かつフレーム（１）の中心部に向けて弾性力を付与して被洗浄物（５）の外周面に圧接させ、
前記洗浄体（２）に加圧された洗浄水が噴射される注水ノズル（２３）を埋設し、
前記リング体（３）（４）の内周面に被洗浄物（５）に向けて濯ぎ水や温風を噴出させるノズル（３１）（４１）を多数開口したことを特徴とする被洗浄物の洗浄乾燥装置。
【請求項２】
前記被洗浄物（５）が光ファイバ母材であり、洗浄体（２）がスポンジであるとともに、円柱状の洗浄体（２）の上端が光ファイバ母材の上端部に到達したときから洗浄体（２）を弾性力により光ファイバ母材の外周面に圧接させることを特徴とする請求項１に記載の被洗浄物の洗浄乾燥装置。
【発明の詳細な説明】
【０００１】
【発明の属する技術分野】
この発明は、例えば円柱体の洗浄及び乾燥を同時に行うことができる被洗浄物の洗浄乾燥装置に関するものである。
【０００２】
【従来の技術】
各種分野で各種形状の製品が多数形成されているが、完成した製品は、必要に応じて適宜洗浄され付着した汚れを落としているが、この製品の洗浄作業は、例えば予め所定位置に設けた洗浄部で洗浄され、次に濯ぎ部で洗浄液を除去し、最後に乾燥部で乾燥するのが通例である。
【０００３】
【発明が解決しようとする課題】
このように、従来の製品の洗浄作業は、各部にそれぞれ別に設けた専用の装置で、別個に行っており、スペ−ス的に見てむだであり、また各専用の装置を使用する分、費用が嵩む。
さらに、このような洗浄作業は、使用する製品の形状が多少異なる場合はそれほど問題ないが、形状、特に外側の表面形状が大きく変化すれば、それに合わせて装置も別のものに取り替えねばならない場合もある。
【０００４】
そこで、この発明は、上記した欠点に鑑み、各種形状の被洗浄物の洗浄及び乾燥作業を同時に行うことができ、しかもその円筒体の外形状が大きく異なる場合でも同一装置で行うことができる、換言すれば被洗浄物が通過する速度、回転数、接触圧で、被洗浄物にあった洗浄条件に合わせることができる被洗浄物の洗浄乾燥装置を提供することを目的とするものである。
【０００５】
【課題を解決するための手段】
すなわち、この請求項１に記載の発明は、円柱体をなした被洗浄物を同時に洗浄及び乾燥する被洗浄物の洗浄乾燥装置であって、前記被洗浄物の外表面のゴミなどを洗い流す洗浄水が噴射する多孔質で伸縮性を有する円柱状の洗浄体と、加圧された濯ぎ水が噴出する濯ぎ用リング体と、加圧された温風が噴出する乾燥用リング体とを、略中空円筒状を有し回転可能なフレームの内部において、前記被洗浄物に近い方から洗浄体、濯ぎ用リング体、乾燥用リング体の順で設けるとともに、前記フレーム若しくは被洗浄物のいずれかを回転かつ降下させる移動手段を備え、前記被洗浄物の外周側をフレームが通過しながら若しくはフレーム内を被洗浄物が通過しながら洗浄及び乾燥を同時に行うように構成し、前記複数の洗浄体を同心状に配置するとともに、支軸によってフレーム側に回転自在に支持し、かつフレームの中心部に向けて弾性力を付与して被洗浄物の外周面に圧接させ、前記洗浄体に加圧された洗浄水が噴射される注水ノズルを埋設し、前記リング体）の内周面に被洗浄物に向けて濯ぎ水や温風を噴出させるノズルを多数開口したものである。
【０００６】
【発明の実施の形態】
以下、この発明の好適な一実施例について添付図面を参照しながら説明する。図１は、この発明に係る被洗浄物の洗浄乾燥装置を示すものであり、この洗浄乾燥装置は、略中空円筒状のフレーム１と、このフレーム１の内周面側に設けた洗浄体２と、濯ぎ用リング体３と、乾燥用リング体４とを備えている。尚、図中符号５は被洗浄物となる光ファイバ母材を示す。
【０００７】
フレーム１は、適宜の手段で回転可能に構成されているとともに、図示外の移動手段で軸方向に移動可能（この実施例では上から下へ真っ直ぐに降下する）となっている。尚、この実施例とは逆に、フレーム側を固定しておき、例えば光ファイバやケーブルのような長尺物を被洗浄物として用いて、この被洗浄物をフレーム内を通過・走行させながら洗浄・乾燥作業を行う構成としてもよい。
【０００８】
この実施例の洗浄体２は、伸縮性が大きく、多孔質のスポンジなどで形成された円柱状のものが同心状に３個（勿論この数に限らない）配置されており、それぞれ支軸２１によってフレーム１側に回転自在に支持されている。また、この実施例の各洗浄体２では、常時フレーム１の中心部に向けて弾性力を付与して光ファイバ母材５の外周面に圧接するために、フレーム１側のばね室１１内に一端を取り付けた圧縮ばね２２（の他端）に支軸２１が固定されている。なお、このばねの他に、例えば空圧、油圧でもよい。この場合、空圧は圧力調整が簡単で便利である。
また、さらにこの洗浄体２の一部には注水ノズル（但し、ゴムなどの伸縮性のあるもので形成されている）２３が多数埋設されており、外部から供給される加圧された洗浄水（洗剤でも可）がこのノズル２３から噴射される。なお、このノズルに加圧された洗浄水を供給させるため、支軸２１の一部には、内部に加圧水が通る通水路（図略）が形成されている。
【０００９】
濯ぎ用リング体３は、略リング状（２ツ割の形状でもよい）を有するものであって、フレーム１の内周面にこのリング体３の外周面が内挿・固定させるようになっている。また濯ぎ用リング体３の内部には加圧された濯ぎ水が通過する通水路（図略）が形成されているとともに、内周面には、図３に示すように、中心方向に向けて加圧された濯ぎ水が噴射するためのノズル３１が多数開口されている。なお、この濯ぎ用リング体３の一部には、濯ぎ水を供給するための供給管３２が取り付けてある。
また、乾燥用リング体４も実質的に濯ぎ用リング体３と同様の構成となっており、加圧されある程度加温された乾燥空気が吹き出すようになっている。なお、濯ぎ用リング体の上に乾燥用のリング体を配置することで、被洗浄物への水はね防止機能（エアカーテン）も果している。なお、構造的に複雑にならなければ、濯ぎ用及び乾燥用のリング体は２ツ割にしても可能である。
【００１０】
従って、この実施例によれば、光ファイバ母材５を適宜の固定手段で固定して所定位置にセットするとともに、この光ファイバ母材５の直上に配置するフレーム１を回転させながら徐々に降下させていく（なお、被洗浄体を回転させるのも有効である。）。また、これと同時に洗浄体２及び濯ぎ用リング体３へはそれぞれ加圧された洗浄水及び濯ぎ水を供給するとともに、乾燥用リング体４には加温された乾燥空気を供給していく。
【００１１】
すると、光ファイバ母材５には、上端部側からフレーム１が入り込み、初めに洗浄体２が光ファイバ母材５の外周面に密着していく（但し、洗浄体２はバネ力が作用せず、フレーム１の内において後退しておき、光ファイバ母材５の上端部に洗浄体２が到達したことを確認してからバネ力を作用させて密着動作が開始するように構成しておくことが好ましい）。
【００１２】
これにより、光ファイバ母材の外周形状に合わせて洗浄体２が密着するから、譬え光ファイバ母材５に窪みが形成されていても、その中も確実に洗浄体が洗浄していくことができる。
また光ファイバ母材５は、その洗浄された上端部から、順次、濯ぎ作業、乾燥作業が行われ、フレーム１が通過したところで、洗浄及び乾燥作業が完了する。
【００１３】
なお、この実施例では、洗浄物として光ファイバ母材を使用したが、特にこれに限定されるものではなく、各種円柱体や円筒体或いはケーブルや光ファイバ等の長尺状の線状体でもかまわない。
【００１４】
【発明の効果】
以上説明してきたように、この発明によれば、円柱体をなした被洗浄物を同時に洗浄及び乾燥する被洗浄物の洗浄乾燥装置であって、前記被洗浄物の外表面のゴミなどを洗い流す洗浄水が噴射する多孔質で伸縮性を有する円柱状の洗浄体と、加圧された濯ぎ水が噴出する濯ぎ用リング体と、加圧された温風が噴出する乾燥用リング体とを、略中空円筒状を有し回転可能なフレームの内部において、前記被洗浄物に近い方から洗浄体、濯ぎ用リング体、乾燥用リング体の順で設けるとともに、前記フレーム若しくは被洗浄物のいずれかを回転かつ降下させる移動手段を備え、前記被洗浄物の外周側をフレームが通過しながら若しくはフレーム内を被洗浄物が通過しながら洗浄及び乾燥を同時に行うように構成し、前記複数の洗浄体を同心状に配置するとともに、支軸によってフレーム側に回転自在に支持し、かつフレームの中心部に向けて弾性力を付与して被洗浄物の外周面に圧接させ、前記洗浄体に加圧された洗浄水が噴射される注水ノズルを埋設し、前記リング体）の内周面に被洗浄物に向けて濯ぎ水や温風を噴出させるノズルを多数開口したので、フレームが移動して通過するまでの間に、各種形状の被洗浄物の洗浄及び乾燥作業を同時に行うことができるから、従来のように別々の場所でそれぞれ専用の装置を使用して各作業を行う必要がなく、スペース的にも経済的にも好都合である。
【００１５】
しかもまた、この発明によれば、被洗浄物である円柱体の外形形状や外径寸法が大きく異なる場合でも、さらにまた回転対称体に限らず偏心体であっても、同一装置がそのまま使用でき、流体圧力や洗浄体の接触圧を適宜変更するだけで洗浄・乾燥作業が行えるから極めて合理的であり、その分、洗浄・乾燥作業コストの削減を図ることができる。
【図面の簡単な説明】
【図１】この発明にかかる被洗浄物の洗浄乾燥装置を示す概略構成図。
【図２】この発明に係る洗浄体の作用を示す説明図。
【図３】この発明に係る濯ぎ用リング体を示す説明図。
【符号の説明】
１  フレーム
２  洗浄体
３  濯ぎ用リング体
４  乾燥用リング体
５  光ファイバ母材（被洗浄物）
【図１】
0003963595.tif 000002
【図２】
0003963595.tif 000003
【図３】
0003963595.tif 000004